(57)【要約】【課題】簡易な構造で、施工性・意匠性を向上させることができる膜天井固定ユニットを提供する。【解決手段】膜天井固定ユニット１０は、天井に固定された吊り材６０にベース吊り部材１５を介して取り付けられるベース部材２０と、第１、第２の膜材５１，５２がそれぞれ取り付けられる第１、第２の固定部材３０，４０とを備えている。第１、第２の膜材５１，５２を取り付けた第１、第２の固定部材３０，４０の上端部３１，４１を、ベース部材２０の係合空間ｓ３に挿入して回動させ、第１、第２の固定部材３０，４０をベース部材２０に吊り下げる。第１の固定部材３０の収容空間ｓ４に、第２の固定部材４０の下端部４３を挿入して、この下端部４３を、第１の固定部材３０の下端部３３の先端部３３ａに係合させる。第１、第２の固定部材３０，４０間にボルト５０を挿入し、第１、第２の固定部材３０，４０の位置を固定する。【選択図】図１
2015161162.tif 000002
【特許請求の範囲】
【請求項１】
第１の膜材の端部を取り付ける第１の固定部材と、
前記第１の膜材に隣接する第２の膜材の端部を取り付ける第２の固定部材と、
前記第１、第２の固定部材の上端部を支持するベース部材とを備えた膜天井固定ユニットであって、
前記ベース部材には、前記第１、第２の固定部材の上端部を挿入し、前記上端部を軸として回動可能な１つの係合空間を形成し、
前記係合空間内には、前記第１、第２の固定部材の上端部を係止するベース係止部を設け、
前記第１の固定部材の下方には、前記第２の固定部材の下方係合部に係合する下方係止部を設けたことを特徴とする膜天井固定ユニット。
【請求項２】
前記第１の固定部材には、前記第２の固定部材を固定するための移動規制部材の貫通位置を示すガイドが設けられていることを特徴とする請求項１に記載の膜天井固定ユニット。
【請求項３】
前記ベース部材には、隣接する他のベース部材と接続するためのベース接続部を設けたことを特徴とする請求項１又は２に記載の膜天井固定ユニット。
【請求項４】
前記ベース部材を支持し、天井に固定される吊り材に取り付けるベース吊り部材を更に備え、
前記ベース部材には、水平方向に突出する取付部が設けられており、
前記ベース吊り部材は、前記ベース部材の前記取付部を保持して支持する支持部と、前記吊り材に連結される連結部とを有することを特徴とする請求項１〜３の何れか１項に記載の膜天井固定ユニット。
【請求項５】
前記ベース吊り部材は、延長部材を介して前記吊り材に固定されており、
前記延長部材は、前記吊り材を中心として前記ベース吊り部材を回動可能に支持することを特徴とする請求項４に記載の膜天井固定ユニット。
【発明の詳細な説明】
【技術分野】
【０００１】
本発明は、シート状の膜材を天井に取り付けるために用いる膜天井固定ユニットに関する。
【背景技術】
【０００２】
体育館やホール等において、既存天井の下方にシーツ状の膜材を取り付けることがある。この膜材は落下し難く、仮に落下しても軽量である。更に、既存天井の一部が落下した場合には受け止めることができるというメリットがある。
【０００３】
この膜材を天井に取り付けるための固定具が検討されている（例えば、特許文献１参照。）。この文献に記載された技術においては、ベース部の両側端部に係合受部を設けたベース部と、係合片を有する一対のる開閉カバー部とを組み合わせて構成される固定具が開示されている。この固定具においては、ベース部の係合受部に開閉カバー部の係合片を引っ掛けて回動させる。そして、ベース部に対して開閉カバー部が折り畳んだときに、係合片と係合受部とで膜材を挟着して係止する。
【先行技術文献】
【特許文献】
【０００４】
【特許文献１】特開２０１３−２４５４４９号公報
【発明の概要】
【発明が解決しようとする課題】
【０００５】
特許文献１に記載の技術においては、係合受部において固定するため、隣接する二つの膜材の間に平板部やボルト頭部収容部が配置される。このため、隣接する膜材間に、比較的大きな隙間が空くことになり、膜材の一体感が低下する。更に、ベース部の係合受部と開閉カバー部との間の膜材に張力がかかった状態で、係合片を回動させる必要がある。このため、膜材の取り付けが難しく、取り付け時に膜材が弛んだり、しわが発生したりすることがあった。
【０００６】
本発明は、上述の課題に鑑みてなされ、その目的は、簡易な構造で、施工性・意匠性を向上させることができる膜天井固定ユニットを提供することにある。
【課題を解決するための手段】
【０００７】
上記課題を解決する膜天井固定ユニットは、第１の膜材の端部を取り付ける第１の固定部材と、前記第１の膜材に隣接する第２の膜材の端部を取り付ける第２の固定部材と、前記第１、第２の固定部材の上端部を支持するベース部材とを備えた膜天井固定ユニットであって、前記ベース部材には、前記第１、第２の固定部材の上端部を挿入し、前記上端部を軸として回動可能な１つの係合空間を形成し、前記係合空間内には、前記第１、第２の固定部材の上端部を係止するベース係止部を設け、前記第１の固定部材の下方には、前記第２の固定部材の下方係合部に係合する下方係止部を設けたこと要旨とする。
【０００８】
この構成によれば、第１、第２の固定部材を斜めにした状態で、それぞれの上端部を、ベース部材の同じ係合空間に挿入し、回動させることにより、第１、第２の固定部材に取り付けた第１、第２の膜材を膜天井固定ユニットの中心位置に引き込むことができる。従って、簡易な構成で、第１、第２の膜材に張力を掛けて、第１、第２の膜材の弛みやしわの発生を抑制することができる。また、第１の固定部材に取り付けた第１の膜材と、第２の固定部材に取り付けた第２の膜材とを近接して配置することができ、一体感がある膜天井を実現することができる。
【０００９】
上記膜天井固定ユニットにおいて、前記第１の固定部材には、前記第２の固定部材を固定するための移動規制部材の貫通位置を示すガイドが設けられていることが好ましい。この構成によれば、第１、第２の固定部材の位置を規制する移動規制部材を、適切な位置に配置することができる。
【００１０】
上記膜天井固定ユニットにおいて、前記ベース部材には、隣接する他のベース部材と接続するためのベース接続部を設けることが好ましい。この構成によれば、ベース部材を、隣接する他のベース部材と、効率的に整合させることができる。
【００１１】
上記膜天井固定ユニットにおいて、前記ベース部材を支持し、天井に固定される吊り材に取り付けるベース吊り部材を更に備え、前記ベース部材には、水平方向に突出する取付部が設けられており、前記ベース吊り部材は、前記ベース部材の前記取付部を保持して支持する支持部と、前記吊り材に連結される連結部とを有することが好ましい。この構成によれば、ベース吊り部材を介して吊り材にベース部材を容易に取り付けることができる。
【００１２】
上記膜天井固定ユニットにおいて、前記ベース吊り部材は、延長部材を介して前記吊り材に固定されており、前記延長部材は、前記吊り材を中心として前記ベース吊り部材を回動可能に支持することが好ましい。この構成によれば、吊り材に対してベース部材の位置がずれて取り付けられた場合には、吊り材に対してベース部材が延長部材を介して回動するので、ベース部材の位置を的確な位置にすることができる。
【発明の効果】
【００１３】
本発明によれば、簡易な構造で、第１、第２の膜材に張力を掛けることができ、一体感がある膜天井を実現することができるので、施工性・意匠性を向上させることができる。
【図面の簡単な説明】
【００１４】
【図１】実施形態における膜天井固定ユニットを説明する図であり、（ａ）は上面図、（ｂ）は正面図、（ｃ）は右側面図。
【図２】実施形態における膜天井固定ユニットを構成する構成部材を説明する図であり、（ａ）はベース吊り部材、（ｂ）はベース部材、（ｃ）は第１及び第２の固定部材、（ｄ）は第１の固定部材の要部の拡大図。
【図３】実施形態における膜天井固定ユニットを用いて膜天井を取り付ける取付方法を説明する説明図であり、（ａ）はベース吊り部材を取り付けた状態、（ｂ）はベース部材を取り付けた状態、（ｃ）は第１の固定部材を取り付けた状態、（ｄ）は第２の固定部材を取り付けた状態、（ｅ）は第２の固定部材を第１の固定部材と組み合わせた状態、（ｆ）は移動規制部材を取り付けた状態を示した説明図。
【図４】変更例における膜天井固定ユニットを説明する図であり、（ａ），（ｂ），（ｃ）は第１の延長部材における上面図、正面図、右側面図、（ｄ），（ｅ），（ｆ）は第２の延長部材における上面図、正面図、右側面図、（ｇ），（ｈ），（ｉ）は第３の延長部材における上面図、正面図、右側面図。
【発明を実施するための形態】
【００１５】
以下、図１〜図３に従って、本発明の膜天井固定ユニットを具体化した一実施形態について説明する。膜天井構造では、複数の矩形の膜天井材（膜材）を隣接させながら天井に張る。そして、膜天井固定ユニットを用いて、隣接する膜材（第１の膜材、第２の膜材）の端部を固定する。この膜天井固定ユニットは、天井に所定間隔で配置された吊り材に固定される。
【００１６】
図１は、本実施形態の膜天井固定ユニット１０の使用時の三面図を示しており、（ａ）は上面図、（ｂ）は正面図、（ｃ）は右側面図をそれぞれ示している。
図１（ｂ）に示すように、膜天井固定ユニット１０は、ベース吊り部材１５、ベース部材２０、第１の固定部材３０、第２の固定部材４０を備えている。この膜天井固定ユニット１０は、天井に取り付けられている吊り材６０に対して、第１の膜材５１、第２の膜材５２を固定する。
【００１７】
ベース吊り部材１５は、吊り材６０に取り付けられる。このベース吊り部材１５には、ベース部材２０が接続される。このベース部材２０には、第１の固定部材３０及び第２の固定部材４０が接続される。
【００１８】
図１（ａ）に示すように、このベース吊り部材１５の上面には、左右方向（第１の膜材５１の端部、第２の膜材５２の端部の延在方向に対して直交する水平方向）に延びる長孔１５ｈが形成されている。
【００１９】
図１（ｃ）に示すように、ベース部材２０、第１の固定部材３０及び第２の固定部材４０は、第１の膜材５１の端部、第２の膜材５２の端部に沿って延在した長尺形状で形成されている。
【００２０】
更に、図１（ｂ）に示すように、第１の固定部材３０には、第１の膜材５１の端部が取り付けられ、第２の固定部材４０には、第２の膜材５２の端部が取り付けられる。各膜材５１，５２の端部は、それぞれ丸棒５１ａ，５２ａに巻かれて折り返された状態で、各固定部材（３０，４０）に保持される。
【００２１】
また、膜天井固定ユニット１０の最下面には、移動規制部材としてのボルト５０が取り付けられる。このボルト５０の軸部の径は、ベース部材２０に取り付けられた各固定部材（３０，４０）が離間したときに生じる隙間とほぼ同じ大きさである。
【００２２】
次に、図２を用いて、膜天井固定ユニット１０を構成する各部材（１５，２０，３０，４０）について詳述する。図２（ａ）はベース吊り部材１５、図２（ｂ）はベース部材２０、図２（ｃ）は第１の固定部材３０及び第２の固定部材４０の斜視図である。
【００２３】
図２（ａ）に示すように、ベース吊り部材１５の上部は、逆三角形状をしており、上面において吊り材６０に連結される連結部を構成する。
ベース吊り部材１５の下端部には、下方に開口された断面長方形状の保持空間ｓ１が形成されるように、二つのコ字形状の先端部１５ａが向かい合うように配置される。この先端部１５ａは支持部として機能する。更に、このベース吊り部材１５には、各先端部１５ａと連結部とを接続する脚部１５ｂが設けられている。各脚部１５ｂには、中央で整合するように孔１５ｃがそれぞれ設けられている。各孔１５ｃは、ボルト１６（図１（ｂ））を挿入可能な大きさで形成されている。
【００２４】
図２（ｂ）に示すように、ベース部材２０の断面形状は、Π形状の上部と、下方に開口した角張ったＣ字形状の下部とからなる。この上部と下部とが中央で一体化されている。そして、ベース部材２０の上部（ベース部材２０の中央部）には、断面が四角形状の連結空間ｓ２が形成されている。この連結空間ｓ２は、ベース部材２０の延在方向に隣接する他のベース部材２０と接続するためのベース接続部として機能する。
【００２５】
ベース部材２０の上端部２１には、水平方向に突出した１対の突条部２１ａ，２１ｂが設けられている。これら突条部２１ａ，２１ｂは、取付部として機能する。
ベース部材２０の下部は、下に開口した係合空間ｓ３を構成する側壁部２５，２６を有している。この係合空間ｓ３は、後述する第１の固定部材３０上端部３１及び第２の固定部材４０の上端部４１を回動させることができる大きさで構成されている。
【００２６】
また、側壁部２５，２６の下端部には、係合空間ｓ３の下側を覆うように、第１係止部２７及び第２係止部２８が水平方向に突出している。第１係止部２７及び第２係止部２８が、本実施形態のベース係止部として機能する。第１係止部２７及び第２係止部２８の先端には、突条部２７ａ，２８ａが設けられている。これら突条部２７ａ，２８ａは、上方に（係合空間ｓ３側に）突出した形状である。そして、この突条部２７ａ，２８ａには、後述する第１、第２の固定部材３０，４０の上端部３１，４１の先端部３１ａ，４１ａを引っ掛かることができる大きさで形成されている。また、突条部２７ａ，２８ａは、側壁部２５，２６との間で隙間を形成する。これら隙間には、第１、第２の固定部材３０，４０の先端部３１ａ，４１ａが遊嵌され、回動可能となる。また、遊嵌された各先端部３１ａ，４１ａは、図１の左右方向に後述する幅ｗ３分だけ移動可能となっている。
【００２７】
更に、突条部２７ａと突条部２８ａとにより、幅ｗｓの開口部が構成される。この幅ｗｓは、後述する第１の固定部材３０の上端部３１の幅ｗ１及び第２の固定部材４０の上端部４１の幅ｗ２よりも大きくしてある。これにより、これら上端部３１，４１が係合空間ｓ３に挿入可能となっている。
【００２８】
図２（ｃ）に示すように、第１の固定部材３０の上端部３１は、水平方向に突出している。この上端部３１は、ベース部材２０の第１係止部２７に係合する上方係合部として機能する。また、上端部３１の先端部３１ａは、下方に突出している。
【００２９】
第１の固定部材３０の中央部には、筒形状の保持部３２が設けられている。この保持部３２は、上端部３１と同じ側（図２（ｃ）の左側）に突出している。保持部３２の中空部は、第１の膜材５１の端部を巻いた丸棒５１ａを収納可能な大きさで構成されている。保持部３２の下側には、開口部３２ａが設けられている。この開口部３２ａは、丸棒５１ａの直径より狭く、丸棒５１ａが飛び出ない大きさで構成される。そして、保持部３２内で、丸棒５１ａに巻き付けた第１の膜材５１の端部を引っ張ることにより、第１の膜材５１が丸棒５１ａと開口部３２ａの端部とで固定される。
【００３０】
図２（ｄ）に示すように、保持部３２の内面（中空部の内周部）には、保持部３２の延在方向に延びる複数の突条部Ｐ１が設けられている。これら突条部Ｐ１は、離間して筋状に配置されている。
【００３１】
図２（ｃ）に示すように、第１の固定部材３０の下端部３３には、断面が長方形状となる収容空間ｓ４が設けられている。この収容空間ｓ４には、中央部の上方が開口された開口部が形成されている。下端部３３の先端部３３ａは、収容空間ｓ４の上面の一部を覆うように、水平方向に延びて突出している。この先端部３３ａは、第２の固定部材４０の下端部４３と係合して、下方係止部として機能する。更に、収容空間ｓ４の開口部は、後述する第２の固定部材４０の下端部４３が挿入可能となるように、この下端部４３の幅ｗ３よりも大きく構成されている。
【００３２】
また、下端部３３の底面外側の中央には、目印３３ｍが設けられている。この目印３３ｍは、本実施形態では、第１の固定部材３０の延在方向に線状の溝により構成されている。
【００３３】
第２の固定部材４０の上部は、第１の固定部材３０の上部と垂直面で面対称の形状となっている。具体的には、第２の固定部材４０は、上端部４１と保持部４２とが同じ側（図２（ｃ）の右側）に突出している。第２の固定部材４０の上端部４１は、水平方向に突出しており、ベース部材２０の第２係止部２８に係合する上方係合部として機能する。上端部４１の先端部４１ａは、下方に突出している。
【００３４】
第２の固定部材４０の中央部には、筒形状の保持部４２が形成されている。この保持部４２は、保持部３２と中央垂直面で面対称に構成されている。保持部４２の中空部は、第２の膜材５２の端部を巻いた丸棒５２ａを収納可能な大きさで構成されている。保持部４２には、延材方向に延びる開口部４２ａが設けられている。開口部４２ａは、丸棒５２ａの直径より狭く、丸棒５２ａが飛び出ない大きさで構成される。そして、保持部４２内で、丸棒５２ａに巻き付けた第２の膜材５２の端部を引っ張ることにより、第２の膜材５２が丸棒５２ａと開口部４２ａの端部とで固定される。更に、保持部４２の内側には、複数の突条部Ｐ１が離間して形成されている。
【００３５】
また、第２の固定部材の下端部４３は、水平方向で上端部４１の突出側と同じ側に突出している。この下端部４３は、第１の固定部材３０の収容空間ｓ４の開口部に挿入されて、収容空間ｓ４内で下端部３３の先端部３３ａと係合し、下方係合部として機能する。
【００３６】
次に、図３を用いて、上述した膜天井固定ユニット１０の取り付け方法について説明する。
図３（ａ）に示すように、まず、天井に固定された吊り材６０に、ベース吊り部材１５を取り付ける。具体的には、まず、ナット６１を螺合させた吊り材６０に、ベース吊り部材１５の長孔１５ｈを貫通させて、ナット６１に当接させる。この場合、第１の膜材５１及び第２の膜材５２の隣接位置に応じて、長孔１５ｈに対する吊り材６０の取付位置を決める。そして、吊り材６０にナット６２を螺合させて、ベース吊り部材１５をナット６１，６２で締め付けて固定する。
【００３７】
次に、図３（ｂ）に示すように、ベース吊り部材１５にベース部材２０を引っ掛けて吊り下げる。具体的には、ベース吊り部材１５の保持空間ｓ１に、ベース部材２０の上端部２１を挿入する。ここで、ベース部材２０の延材方向に隣接する他のベース部材２０が既に配置されている場合には、このベース部材２０の連結空間ｓ２に、図示しない接合材を挿入して、他のベース部材２０と結合する。そして、ベース吊り部材１５の各脚部１５ｂの孔１５ｃにボルト１６を貫通させ、ナットにより脚部１５ｂ同士を締め付ける。これにより、ベース部材２０の上端部２１がベース吊り部材１５の保持空間ｓ１に収容されて固定される。この場合、そして、ベース吊り部材１５にベース部材２０を垂下させて、ベース吊り部材１５の各先端部１５ａの上面に、ベース部材２０の突条部２１ａ，２１ｂを当接させる。
【００３８】
次に、図３（ｃ）に示すように、ベース部材２０に第１の固定部材３０を引っ掛けて吊り下げる。具体的には、まず、第１の固定部材３０の保持部３２の中空部には、第１の膜材５１の端部を巻き付けた丸棒５１ａを挿入しておく。この場合、保持部３２の開口部３２ａから、丸棒５１ａに巻き付けた第１の膜材５１の端部を引き出す。そして、第１の固定部材３０の上端部３１を、ベース部材２０の開口部から係合空間ｓ３に挿入する。この場合、第１の固定部材３０を第１の膜材５１側に傾けた状態で、第１の固定部材３０の上端部３１を係合空間ｓ３に挿入する。次に、第１の固定部材３０の上端部３１を軸として回動させて、上端部３１の先端部３１ａを、ベース部材２０の側壁部２５と第１係止部２７の突条部２７ａとの間に配置する。この場合、第１の固定部材３０の保持部３２がベース部材２０の下方に位置することになり、第１の膜材５１が膜天井固定ユニット１０の中心（中央垂直面）に引き込まれる。
【００３９】
次に、図３（ｄ）に示すように、ベース部材２０に第２の固定部材４０を引っ掛けて吊り下げる。具体的には、まず、第２の固定部材４０を取り付ける前に、第２の固定部材４０の保持部４２の中空部に第２の膜材５２の端部を巻き付けた丸棒５２ａを挿入しておく。この場合、保持部４２の開口部４２ａから、丸棒５２ａに巻き付けた第２の膜材５２の端部を引き出す。そして、第２の固定部材４０の上端部４１を、ベース部材２０の開口部から係合空間ｓ３に挿入する。この場合、第２の固定部材４０を第２の膜材５２側に傾けた状態で、第２の固定部材４０の上端部４１を係合空間ｓ３に挿入する。
【００４０】
次に、図３（ｅ）に示すように、第２の固定部材４０の上端部４１を軸として回動させて、上端部４１の先端部４１ａを、ベース部材２０の側壁部２６と第２係止部２８の突条部２８ａとの間に配置する。この場合、第２の固定部材４０の保持部４２がベース部材２０の下方に位置することになり、第２の膜材５２が膜天井固定ユニット１０の中心（中央垂直面）に引き込まれる。そして、第２の固定部材４０の下端部４３を、第１の固定部材３０の収容空間ｓ４に挿入する。
【００４１】
そして、図３（ｆ）に示すように、第１の固定部材３０と第２の固定部材４０との間にボルト５０を取り付ける。具体的には、第１の固定部材３０の下端部３３の目印３３ｍに沿って、ボルト５０を下から収容空間ｓ４に打ち込む。これにより、ボルト５０の軸部が、第１の固定部材３０及び第２の固定部材４０の間に位置して、ベース部材２０に対して各固定部材（３０，４０）の移動を規制する。この場合、第２の固定部材４０の下端部４３は、第１の固定部材３０の下端部３３の先端部３３ａに係合する。なお、取り付けた後に、第１、第２の膜材５１，５２に撓みが生じている場合には、その端部を引っ張る。この場合、第１、第２の膜材５１，５２が、丸棒５１ａ，５２ａと保持部３２，４２の開口部３２ａ，４２ａの間で固定されているので、撓みを解消することができる。
【００４２】
本実施形態によれば、以下のような効果を得ることができる。
（１）本実施形態の膜天井固定ユニット１０は、第１、第２の膜材５１，５２を取り付けた第１、第２の固定部材３０，４０の上端部３１，４１を、ベース部材２０の係合空間ｓ３に挿入して回動させて、第１、第２の固定部材３０，４０をベース部材２０に吊り下げる。第２の固定部材４０の下端部４３を、第１の固定部材３０の収容空間ｓ４に挿入して、第１の固定部材３０の先端部３３ａに係合させ、ボルト５０により第１、第２の固定部材３０，４０の位置を固定する。これにより、第１、第２の固定部材３０，４０の上端部３１，４１をベース部材２０の係合空間ｓ３で回動させ、第１、第２の膜材５１，５２を膜天井固定ユニット１０の中心に引き込むことができる。従って、簡易な構成で、第１、第２の膜材５１，５２に張力を掛けて、膜材（５１，５２）の弛みやしわの発生を抑制することができる。また、第１の固定部材３０に取り付けた第１の膜材５１と、第２の固定部材４０に取り付けた第２の膜材５２とを近接して配置することができ、一体感がある膜天井により、施工性及び意匠性を向上させることができる。
【００４３】
（２）本実施形態においては、第１の固定部材３０の収容空間ｓ４の下となる下端部３３の中央には、ボルト５０を配置するための目印３３ｍが外側に形成されている。これにより、第１、第２の固定部材３０，４０を的確に固定することができる。
【００４４】
（３）本実施形態においては、ベース部材２０の中央部には、断面が四角形状の連結空間ｓ２が形成されている。ベース部材２０の延材方向に隣接する他のベース部材２０が既に配置されている場合には、このベース部材２０の連結空間ｓ２に、図示しない接合材を挿入して、他のベース部材２０と結合する。これにより、ベース部材２０の延在方向に位置合わせして、複数のベース部材２０を効率的に連結することができる。
【００４５】
（４）本実施形態の膜天井固定ユニット１０は、ベース部材２０を支持するベース吊り部材１５を備えている。これにより、吊り材６０に対してベース吊り部材１５の取り付けが容易になる。
【００４６】
（５）本実施形態において、ベース吊り部材１５の保持空間ｓ１に、ベース部材２０の突条部２１ａに配置させて、ベース吊り部材１５にベース部材２０を垂下させる。更に、ベース吊り部材１５の孔１５ｃに、ボルト１６を貫通して締め付ける。これにより、ベース吊り部材１５に吊り下げたベース部材２０を、強固に、かつ効率よく固定することができる。
（６）本実施形態において、ベース吊り部材１５に、吊り材６０に取り付ける長孔１５ｈを設けた。これにより、吊り材６０の位置を移動させて調整することができる。
【００４７】
また、上記実施形態は、以下のように変更してもよい。
・上記実施形態においては、天井に固定された吊り材６０に、ベース吊り部材１５を介してベース部材２０を取り付ける。これに加えて、ベース吊り部材１５とベース部材２０との間に、延長部材を更に設けてもよい。この延長部材を用いることにより、吊り材６０の中心軸とずらしてベース吊り部材１５を配置することができる。
【００４８】
図４には、３種類の延長部材７０，７５，７７を示している。
図４（ａ）、図４（ｂ）、図４（ｃ）は、第１の延長部材７０の三面図（上面図、正面図、右側面図）である。
【００４９】
図４（ａ）〜（ｃ）に示す第１の延長部材７０は、板状の上部７１、中央部７２、下部７３を端部で接続した形状をしている。図４（ａ）に示すように、延長部材７０の上部７１には、溝７１ａが設けられている。この溝７１ａは、吊り材６０が貫通して配置される収容部を有している。また、下部７３には、図示しない２つの孔が、図４（ｂ）の左右方向に並んで形成されている。このうち中央部７２側と反対側の孔は、溝７１ａの収容部に整合している。
【００５０】
吊り材６０に膜天井固定ユニット１０を取り付ける場合、まず、延長部材７０に、膜天井固定ユニット１０のベース吊り部材１５を取り付ける。具体的には、ベース吊り部材１５の長孔１５ｈと、延長部材７０の下部７３の中央部７２側の孔とを整合させて、これら孔に、下からボルト６５を貫通させ、このボルト６５にナット６６を締め付ける。
【００５１】
次に、ナット６３を取り付けた吊り材６０を、延長部材７０の上部７１の溝７１ａの収容部及びにこれに整合する下部７３の孔に配置する。この場合、ナット６３は下部７３の上面に当接させる。そして、吊り材６０の先端部にナット６４を締め付けることにより、吊り材６０に延長部材７０を取り付ける。
【００５２】
この構成により、図４（ａ）に示すように、吊り材６０の中心軸ｃ１と、ベース吊り部材１５を取り付けたボルト６５との軸とは離間する。そして、吊り材６０に対してベース吊り部材１５の位置がずれている場合には、吊り材６０の中心軸ｃ１を中心としてベース吊り部材１５の軸を円弧ｒ１上で回動させる。これにより、ベース吊り部材１５の位置を調整して、第１、第２の膜材５１，５２を的確な位置に配置することができる。
【００５３】
また、図４（ｄ）、図４（ｅ）、図４（ｆ）に示すように、断面がコ字形状をした延長部材７５を用いてもよい。この延長部材７５の上部と下部には、それぞれ整合する２つの孔が設けられている。延長部材７５を用いて膜天井固定ユニット１０を取り付ける場合には、ベース吊り部材１５の長孔１５ｈと、これに重ねた延長部材７５の下部の孔とにボルト６５を貫通させる。そして、このボルト６５の先端を、延長部材７５の上部の孔に貫通させて、ナット６６を締め付ける。次に、ナット６３を挿入した吊り材６０を、延長部材７５の上部の孔に貫通させ、吊り材６０の先端部にナット６４を締め付ける。
【００５４】
更に、図４（ｇ）、図４（ｈ）、図４（ｉ）に示すように、円筒７７ａ，７７ｂを連結部７７ｃで連結した延長部材７７を用いてもよい。この延長部材７７の円筒７７ａに、ベース吊り部材１５を取り付けるボルト６５を下から貫通させて、円筒７７ａの上で、ナット６６によって締め付ける。また、延長部材７７の円筒７７ｂには、ナット６３を挿入した吊り材６０を貫通させて、吊り材６０の先端部にナット６４を締め付ける。
上述した延長部材７５，７７を用いた場合においても、延長部材７０と同様な作用効果を得ることができる。
【００５５】
・上記実施形態において、ベース吊り部材１５は、断面が逆三角形状の上部を備える。ベース吊り部材１５の上部の形状は、この形状に限定されるものではなく、ホームベース形状の断面としてもよい。また、ベース吊り部材１５を省略し、ベース部材２０を直接、吊り材６０に取り付ける構成としてもよい。
【００５６】
・上記実施形態において、第１の固定部材３０の下端部３３は、断面が長方形状となる収容空間ｓ４を有する。第２の固定部材と下方で係合する第１の固定部材３０の下端部３３の形状はこれに限定されない。ここで、第１、第２の固定部材３０，４０をベース部材２０に取り付けた場合に、左右対称な形状にすることにより、膜天井固定ユニット１０の傾きを抑制できる。また、上記実施形態においては、第１、第２の固定部材３０，４０の保持部３２，４２の形状を円筒形状としたが、これらもこの形状に限定されない。
【符号の説明】
【００５７】
ｓ１…保持空間、ｓ２…連結空間、ｓ３…係合空間、ｓ４…収容空間、１０…膜天井固定ユニット、１５…ベース吊り部材、１５ａ…先端部、１５ｂ…脚部、１５ｃ…孔、１５ｈ…長孔、１６，５０…ボルト、２０…ベース部材、２１，３１，４１…上端部、２１ａ，２１ｂ…突条部、２５，２６…側壁部、２７…第１係止部、２７ａ，２８ａ…突条部、２８…第２係止部、３０…第１の固定部材、３１ａ，３３ａ，４１ａ…先端部，３２，４２…保持部、３２ａ，４２ａ…開口部、３３，４３…下端部、３３ｍ…目印、４０…第２の固定部材、５１…第１の膜材、５１ａ，５２ａ…丸棒、５２…第２の膜材、６０…吊り材、６１，６２，６３，６４，６６…ナット，６５…ボルト、７０，７５，７７…延長部材、７１…上部、７１ａ…溝、７２…中央部、７３…下部，７７ａ，７７ｂ…円筒、７７ｃ…連結部。
【図１】
2015161162.tif 000003
【図２】
2015161162.tif 000004
【図３】
2015161162.tif 000005
【図４】
2015161162.tif 000006